(57)【要約】【課題】開閉が円滑に行うことのできる扉を持ち使い勝手の良い加熱調理器を提供すること。【解決手段】本発明の加熱調理器は、加工および組み立て時のばらつきの少なくできる構造とし、開閉が円滑に行うことのできる扉を持ち、使い勝手の良い商品価値の高い加熱調理器とすることとなる。【選択図】図６
2006329544.tif 000002
【特許請求の範囲】
【請求項１】
前方開口部を開閉する扉を有し内部に収納された被加熱物を加熱する調理庫と、前記調理庫に収納される受け皿と、前記受け皿と連動する可動体と前記可動体を保持しかつ前記可動体を摺動させる被摺動部とを具備する少なくとも１対のレールとを備え、前記レールは、連結部材により前記レールの端面側で連結され、前記レールの可動体の端面側に断面により形成された当接面に前記連結部材を当接し、前記当接面に対して端面と反対側に所定の距離離れて設けられた雌ねじ部に、ねじの締め付け方向がレールの長さ方向に沿うように締め付けてなる加熱調理器。
【請求項２】
可動体と可動体を摺動させる被摺動部とを少なくとも上方から覆うレールカバーを設けた請求項１に記載の加熱調理器。
【請求項３】
前記可動体の先端に取り付けられる連結部材固定部品をさらに有し、前記連結部材固定部品は、断面略コの字状に折り曲げた板の一端に断面による当接面を形成し、他端にさらに折り曲げにより雌ねじ部を内側に形成し、連結部材固定部品の背面側面部を前記可動体の内面に固定し、前記連結部材固定部品の当接面に連結部材を当接させ、ねじを連結部材固定部品の雌ねじ部に取り付け締め付けることにより前記連結部材を連結してなる請求項１または２に記載の加熱調理器。
【請求項４】
前記連結部材固定部品と前記レールカバーを前記可動体にねじ等で共締めして固定する請求項３に記載の加熱調理器。
【請求項５】
前記連結部材と前記連結部材固定部品を固定するねじが通る穴を備えた、連結部材連結部品を有し、前記連結部材連結部品が前記連結部材固定部品に前記連結部材と共締めされ固定される請求項２〜４のいずれか１項に記載の加熱調理器。
【請求項６】
連結部材に扉を着脱可能に固定してなる請求項１〜５のいずれか１項に記載の加熱調理器。
【発明の詳細な説明】
【技術分野】
【０００１】
本発明は、加熱調理器に関するものである。
【背景技術】
【０００２】
従来、この種の加熱調理器は、被加熱物を加熱する調理庫と、前記調理庫に収納される受け皿と、前記受け皿と連動し摺動するレールを備え、連結部材を前記レールの端面に当接し、前記レールの端面に設けられた雌ねじ部にねじ等で締め付け、前記レールは、前記連結部材により連結される構成となっている（例えば、特許文献１参照）。
【０００３】
図２は特許文献１に記載された従来の加熱調理器を示すものである。図２に示すように、内部に収納された被加熱物を加熱する調理庫２１と、前記調理庫２１に収納される受け皿２２と、前記受け皿２２と連動し摺動するレール２３を備え、前記レール２３は、前記レール２３の端面に連結部材２４を当接し、前記レールの端面に設けられた雌ねじ部にねじ等で固定され、前記レール２３が連結される構成となっている。
【特許文献１】特開２００４−３０５５３８号公報
【発明の開示】
【発明が解決しようとする課題】
【０００４】
しかしながら、前記従来の構成では、前記レール左右１組を連結する前記連結部材は、前記レールの端を折り曲げる加工によって作られた平面に当接され固定されており、前記レールの折り曲げ部の強度が弱いため、扉の開閉時の負荷等により変形し、前記左右１組のレールの摺動方向と前記連結部材の直角を保ち難い。さらに、前記連結部材が当接される前記レール端面は、前記レールの端を折り曲げる加工によって作られるため、折り曲げる加工精度のばらつき等により、前記左右１組のレールの摺動方向と前記連結部材の直角を保ち難いため、加熱調理器の扉を円滑に開閉し難いという課題を有していた。
【０００５】
本発明は、前記従来の課題を解決するもので、開閉が円滑に行うことのできる扉を持ち使い勝手の良い加熱調理器を提供することを目的とする。
【課題を解決するための手段】
【０００６】
前記従来の課題を解決するために、本発明の加熱調理器は、前方開口部を開閉する扉を有し内部に収納された被加熱物を加熱する調理庫と、前記調理庫に収納される受け皿と、前記受け皿と連動する可動体と前記可動体を保持しかつ前記可動体を摺動させる被摺動部とを具備する少なくとも１対のレールとを備え、前記レールは、連結部材により前記レールの端面側で連結され、前記レールの可動体の端面側に断面により形成された当接面に前記連結部材を当接し、前記当接面に対して端面と反対側に所定の距離離れて設けられた雌ねじ部に、ねじの締め付け方向がレールの長さ方向に沿うように締め付ける。さらに、前記可動体の先端に取り付けられる連結部材固定部品を有し、前記連結部材固定部品は、断面略コの字状に折り曲げた板の一端に断面による当接面を形成し、他端にさらに折り曲げにより雌ねじ部を内側に形成し、連結部材固定部品の背面側面部を前記可動体の内面に固定し、前記連結部材固定部品の当接面に連結部材を当接させ、ねじを連結部材固定部品の雌ねじ部に取り付け締め付けることにより前記連結部材を連結する構成としたものである。
【０００７】
これによって、連結部材が当接されている平面は切断等によって加工された平面であり、前記レールの摺動方向に対する直角度の加工によるばらつきが生じ難いため加熱調理器の扉を円滑に開閉できる。さらに、前記当接面と前記当接面に対して所定の距離離れて設けられた雌ねじ部の１平面と１点で前記連結部材をレールとを拘束するため前記連結部材と前記レールの接合部の剛性を高めることができるため、開閉時等に扉に加えられる負荷に対する変形が生じ難く、前記レールの摺動方向に対する前記連結部の直角度が保たれ加熱調理器の扉を円滑に開閉できる。
【発明の効果】
【０００８】
本発明の加熱調理器は、前記連結部材と前記レールの摺動方向に対する直角度が保ちやすく円滑に開閉できる扉を持つ加熱調理器とすることができる。
【発明を実施するための最良の形態】
【０００９】
第１の発明は、前方開口部を開閉する扉を有し内部に収納された被加熱物を加熱する調理庫と、前記調理庫に収納される受け皿と、前記受け皿と連動する可動体と前記可動体を保持しかつ前記可動体を摺動させる被摺動部とを具備する少なくとも１対のレールとを備え、前記レールは、連結部材により前記レールの端面側で連結され、前記レールの可動体の端面側に断面により形成された当接面に前記連結部材を当接し、前記当接面に対して端面と反対側に所定の距離離れて設けられた雌ねじ部に、ねじの締め付け方向がレールの長さ方向に沿うように締め付ける構成とすることで、加工のばらつきが生じ難く、さらに開閉時等に扉に加えられる負荷に対する変形が生じ難いため、前記連結部材の当接面とレール摺動方向の直角度が保ちやすく、円滑に開閉できる扉を持つ加熱調理器とすることができる。
【００１０】
第２の発明は、前方開口部を開閉する扉を有し内部に収納された被加熱物を加熱する調理庫と、前記調理庫に収納される受け皿と、前記受け皿と連動する可動体と前記可動体を保持しかつ前記可動体を摺動させる被摺動部とを具備する少なくとも１対のレールとを備え、前記レールは、連結部材により前記レールの端面側で連結され、前記レールの可動体の端面側に断面により形成された当接面に前記連結部材を当接し、前記当接面に対して端面と反対側に所定の距離離れて設けられた雌ねじ部に、ねじの締め付け方向がレールの長さ方向に沿うように締め付ける構成とすることで、加工のばらつきが生じ難く、さらに開閉時等に扉に加えられる負荷に対する変形が生じ難いため、前記連結部材の当接面とレール摺動方向の直角度が保ちやすい。さらに、可動体と可動体を摺動させる被摺動部とを少なくとも上方から覆うレールカバーを設ける構成とすることで、扉開閉時に被加熱物等が前記レールへ付着し、前記レールの摺動を妨げることを防止し、円滑に開閉できる扉を持つ加熱調理器とすることができる。
【００１１】
第３の発明は、前記可動体の先端に取り付けられる連結部材固定部品をさらに有し、前記連結部材固定部品は、断面略コの字状に折り曲げた板の一端に断面による当接面を形成し、他端にさらに折り曲げにより雌ねじ部を内側に形成し、連結部材固定部品の背面側面部を前記可動体の内面に固定し、前記連結部材固定部品の当接面に連結部材を当接させ、ねじを連結部材固定部品の雌ねじ部に取り付け締め付けることにより、前記当接面と前記当接面に対して所定の距離離れて設けられた雌ねじ部の１平面と１点で前記連結部材をレールとを拘束するため前記連結部材と前記レールの接合部の剛性を高めることができ、開閉時等に扉に加えられる負荷に対する変形が生じ難く、前記レールの摺動方向に対する前記連結部の直角度が保たれ扉を円滑に開閉できる加熱調理器とすることができる。
【００１２】
第４の発明は、前記連結部材固定部品と前記レールカバーを前記可動体にねじ等で共締めして固定することで組み立てが容易かつ扉を円滑に開閉できる加熱調理器とすることができる。
【００１３】
第５の発明は、前記連結部材と前記連結部材固定部品を固定するねじが通る穴を備えた連結部材連結部品を有し、前記連結部材連結部品が前記連結部材固定部品に前記連結部材と共締めされ固定することで、組み立てが容易で、さらに、組み立てによるばらつきを抑制し、前記連結部材の当接面とレール摺動方向の直角度が保ちやすいため、扉を円滑に開閉できる加熱調理器とすることができる。
【００１４】
第６の発明は、前記連結部材を前記レールの端面に当接し固定した後に、前記連結部材に扉を着脱可能に固定する構造とするため、前記連結部材の組み立てが容易で、組み立てによるばらつきを抑制し、前記連結部材の当接面とレール摺動方向の直角度が保ちやすいため、扉を円滑に開閉でき、さらに、前記扉が着脱可能で使い勝手の良い加熱調理器とすることができる。
【００１５】
以下、本発明の実施の形態について、図面を参照しながら説明する。なお、本実施の形態によって本発明が限定されるものではない。
【００１６】
（実施の形態１）
図１は本発明の第１の実施の形態における加熱調理器の詳細図を示すものである。
【００１７】
図１において、前方開口部を開閉する扉１１を有し内部に収納された被加熱物を加熱する調理庫１２と、前記調理庫に収納される受け皿１３と、前記受け皿１３と連動する可動体１４と前記可動体１４を保持しかつ前記可動体１４を摺動させる被摺動部とを具備する少なくとも１対のレール１５を備え、前記レール１５は連結部材１６により前記レール１５の端面側で連結され、前記レール１５の可動体１４の端面側に断面により形成された当接面に前記連結部材１６を当接し、前記当接面に対して端面と反対側に所定の距離離れて設けられた雌ねじ部に、ねじの締め付け方向がレールの長さ方向に沿うように締め付けられている。
【００１８】
以上のように構成された加熱調理器の扉開閉に関する構造について、以下その動作、作用を説明する。
【００１９】
加熱調理器の扉１１開閉を円滑に行うには、レール１５を円滑に摺動させる必要があり、円滑にレールを摺動させるためには、少なくとも１対のレールの可動体１４の距離を一定に保持し、かつ前記少なくとも１対のレールの可動体１４の被摺動部に対する平行度を保つ機構が必要となる（図３参照）。よって、前記連結部材は前記レールの摺動方向に対し、直角に当接されなければならない。つまり、前記連結部材１６が当接される前記可動体１４の端面側に断面により形成された当接面が、前記レール１５の摺動方向に対して直角に形成される必要がある。従来の発明による構成では、曲げ等の加工により前記接当接面が形成される。曲げ加工においては、被加工部材の物理的特性のばらつきによってスプリングバック等の度合いが異なるため、前記当接面の平面度や前記レール１５の摺動方向に対する直角度等の加工精度のばらつきを抑制し難い。一方、本発明においては前記当接面は切削や切断等の単純な加工方法によって形成されるものであり、当接面の平面度や前記レール１５の摺動方向に対する直角度等の加工精度のばらつきが従来の発明による構成と比較して生じ難い。前記当接面の前記レール１５の摺動方向に対する直角度のばらつきを抑制することができる。さらに、従来の構成（図７参照）とは異なり前記当接面に対して端面と反対側に所定の距離離れて設けられた雌ねじ部に、ねじの締め付け方向がレールの長さ方向に沿うように締め付け、１平面と前記１平面から所定の距離離れた１点で前記連結部材をレール間の自由度を減らし、拘束することで前記連結部材と前記レールの接合部の剛性を高めることができる（図８参照）。
【００２０】
以上のように、本実施の形態では、レール１５の可動体１４の端面側に断面により形成された当接面に連結部材１６を当接し、当接面に対して端面と反対側に所定の距離離れて設けられた雌ねじ部に、ねじの締め付け方向がレールの長さ方向に沿うように締め付けることにより、加工のばらつきが生じ難く、さらに、前記連結部材と前記レールの接合部の剛性が十分に高く、開閉時や組み立て時等に扉に加えられる外力に対する変形が生じ難いため、前記連結部材の当接面とレール摺動方向の直角度が保ちやすく、少なくとも１対のレールの可動体１４の距離を一定に保持し、かつ前記少なくとも１対のレールの可動体１４の被摺動部に対する平行度を保つことが可能となり、円滑に開閉できる扉を持つ加熱調理器とすることができる。
【００２１】
（実施の形態２）
図４は、本発明の第２の実施の形態における加熱調理器の詳細図を示すものである。基本的な構成は実施の形態１と同様であるため、構成の違うところのみを説明する。
【００２２】
図４に示すように、可動体１４と可動体１４を摺動させる被摺動部とを少なくとも上方から覆うレールカバー１８を設ける構成とする。
【００２３】
以上のように構成された加熱調理器について、以下その動作、作用を説明する。
【００２４】
前記レールカバー１８を設けることで、被加熱物等を調理する時、前記扉開閉時や組み立て時等において、前記可動体１４を摺動させる被摺動部に前記レールの摺動の妨げとなる被加熱物等の物体が付着し、前記レールの摺動を妨げることや前記レールの摺動部や被摺動部や前記レールを構成するその他の部材に、前記加熱物に含まれる塩分や硫黄分等が付着し部材表面が腐食する、変形する等を防止し、長期的に安定した使用を可能にして商品価値を高めることができるという利点がある。前記のような構成とすることで恒久的に円滑に開閉できる扉を持つ加熱調理器とすることができる。
【００２５】
（実施の形態３）
図５は本発明の第３の実施の形態における加熱調理器の詳細図を示すものである。基本的な構成は実施の形態１と同様であるため、構成の違うところのみを説明する。
【００２６】
前記可動体１４の先端に取り付けられる連結部材固定部品１７を有し、前記連結部材固定部品１７は、断面略コの字状に折り曲げた板の一端に断面による当接面を形成し、他端にさらに折り曲げにより雌ねじ部を内側に形成し、連結部材固定部品１７の背面側面部を前記可動体１４の内面に固定し、前記連結部材固定部品１７の当接面に連結部材１６を当接させ、ねじを連結部材固定部品１７の雌ねじ部に取り付け締め付けることにより前記連結部材１６を連結する構成としたものである。
【００２７】
以上のように構成された加熱調理器について、以下その動作、作用を説明する。
【００２８】
前記可動体１４の先端に取り付けられる連結部材固定部品１７を有することで、前記可動体１４を当接する当接面および雌ねじ部の加工がし易い。さらに、前記可動体１４を当接する当接面の断面形状を比較的自由に変更できるため、接合部の剛性が十分に高く、開閉時や組み立て時等に扉に加えられる外力に対する変形が生じ難い形状とする事ができ、前記連結部材の当接面とレール摺動方向の直角度が保ち易いという利点がある。また、扉のデザインや取り付け部の形状および寸法が変更されても前記連結部材固定部品１７の形状を変更するだけで、前記レール１５の他の部位は変更せず共用できる等の利点がある。さらに、市販されているレールの形状に組み込むことのできるように、前記連結部材固定部品１７の形状を作成することで、市販されているレールのような形状が限定された部材をも用いることができ、より安価でかつ商品価値を高めた製品とすることができる等の利点がある。本発明において、組み立て性、部材加工性の優れている、かつ、円滑に開閉できる扉を持つ加熱調理器とすることができる。
【００２９】
（実施の形態４）
図５は本発明の第４の実施の形態における加熱調理器の詳細図を示すものである。基本的な構成は実施の形態３と同様であるため、構成の違うところのみを説明する。
【００３０】
前記連結部材固定部品１７と前記レールカバー１８を前記可動体１４にねじ等で共締めして固定する構成としたものである。
【００３１】
以上のように構成された加熱調理器について、以下その動作、作用を説明する。
【００３２】
前記連結部材固定部品１７と前記レールカバー１８を前記可動体１４にねじ等で共締めして固定することで、組み立て性の優れている、かつ、恒久的に円滑な扉の開閉が実現できる加熱調理器とすることができる。
【００３３】
（実施の形態５）
図６は本発明の第５の実施の形態における加熱調理器の詳細図を示すものである。基本的な構成は実施の形態４と同様であるため、構成の違うところのみを説明する。
【００３４】
前記連結部材１６と前記連結部材固定部品１７または前記可動体１４を固定するねじが通る穴を備えた連結部材連結部品１９を有し、前記連結部材連結部品１９が前記連結部材固定部品または前記可動体１４に前記連結部材と共締めされ固定されることで、組み立てが容易となる。前記連結部材１６を前記連結部材固定部品１７または前記可動体１４の雌ねじ部にねじ等を用いて組み立て固定するとき、雌ねじ部が前記連結部材１６を当接する当接面から所定の距離はなれた所に存在するため、雌ねじ部を確認し固定することができない。固定するねじが通る穴を備えた連結部材連結部品１９がねじ等を雌ねじ部へ確実に誘導する。よって組み立てが容易となる等の利点がある。さらに、組み立てによるばらつきを抑制し、前記連結部材の当接面とレール摺動方向の直角度が保ちやすいため、円滑な扉の開閉が実現できる加熱調理器とすることができる。
【００３５】
（実施の形態６）
図６は本発明の第６の実施の形態における加熱調理器の詳細図を示すものである。基本的な構成は実施の形態５と同様であるため、構成の異なるところのみを説明する。
【００３６】
前記連結部材１６を前記レール１５の端面に当接し固定した後に、前記連結部材１６に扉１１を着脱可能に固定する構造とするため、前記連結部材１６の組み立てが容易で、組み立てによるばらつきを抑制し、前記連結部材１６の当接面とレール摺動方向の直角度が保ちやすいため、扉を円滑に開閉できる。さらに、被加熱物等が前記扉１１に付着した場合着脱して清掃・洗浄できるため使い勝手の良い、お手入れ性の優れた衛生的な加熱調理器とすることができる。
【産業上の利用可能性】
【００３７】
以上のように、本発明にかかる加熱調理器は、開閉が円滑に行うことのできる扉を持ち使い勝手を良くすることが可能となるので、他の同じような構成の加熱調理機器等の用途にも適用できる。
【図面の簡単な説明】
【００３８】
【図１】本発明の実施の形態１における加熱調理器の斜視図
【図２】従来の発明における加熱調理器の斜視図
【図３】本発明の加熱調理器の扉開閉に関する平面図
【図４】本発明の実施の形態２における加熱調理器の斜視図
【図５】本発明の実施の形態３および４における加熱調理器の斜視図
【図６】本発明の実施の形態５および６における加熱調理器の斜視図
【図７】従来の発明における接合部の断面図
【図８】本発明における接合部の断面図
【符号の説明】
【００３９】
１１  扉
１２  調理庫
１３  受け皿
１４  可動体
１５  レール
１６  連結部材
１７  連結部材固定部品
１８  レールカバー
１９  連結部材連結部品
２１  調理庫
２２  受け皿
２３  レール
２４  連結部材
【図１】
2006329544.tif 000003
【図２】
2006329544.tif 000004
【図３】
2006329544.tif 000005
【図４】
2006329544.tif 000006
【図５】
2006329544.tif 000007
【図６】
2006329544.tif 000008
【図７】
2006329544.tif 000009
【図８】
2006329544.tif 000010